【手続補正書】
【提出日】平成18年4月25日(2006.4.25)
【手続補正１】
【補正対象書類名】明細書
【補正対象項目名】特許請求の範囲
【補正方法】変更
【補正の内容】
【特許請求の範囲】
【請求項１】  燃焼式ファスナー駆動ツール内部において使用するための燃焼室システムであって、
長さ及び幅を有し、前記幅に対する前記長さの比によって定義されるアスペクト比が少なくとも２：１である、予燃室と、
前記予燃室の上流端部内に画定された、混合気の燃焼を開始するための燃焼開始手段であって、前記混合気は火炎面によって前記予燃室の上流端部から下流端部まで該予燃室を通って伝播する、燃焼開始手段と、
ポートによって前記予燃室の下流端部に流体的に接続される最終燃焼室であって、ファスナーを前記ツールから基板に打ち込むために、該最終燃料室の下流端部に作動可能に配置される作動ピストンを有する、最終燃焼室と、
前記予燃室内部の前記混合気の燃焼速度及び前記火炎面が前記予燃室を通って伝播する伝播速度を選択的に上昇又は下降させるために前記予燃室内部に配置される第１の障害手段と、
を有する、燃焼室システム。
【請求項２】  前記最終燃焼室内部の前記混合気を急速かつ完全に燃焼させることを確保し、それによりファスナーを前記ツールから基板に打ち込むために前記作動ピストンにピークエネルギー及び力が加えられるようにするために、前記最終燃焼室内部に配置される第２の障害手段をさらに有する、請求項１に記載の燃焼室システム。
【請求項３】  前記最終燃焼室内部の前記混合気を急速かつ完全に燃焼させることを確保するために前記最終燃焼室内部に配置される前記第２の障害手段は、前記最終燃焼室の上流端部において、前記予燃室を前記最終燃焼室に流体的に相互接続する前記ポートに隣接して配置される立体形状物を有し、それにより前記第２の障害手段は、前記予燃室から前記最終燃焼室内に伝播する火炎面に衝突し、該火炎面を径方向に分岐する火炎面部分に分割して、前記最終燃焼室内部に分配される前記混合気の全ての領域に可燃的に点火することを可能にする、請求項２に記載の燃焼室システム。
【請求項４】  前記立体形状物は、円錐形状を有し、該円錐形状の頂部が前記予燃室を前記最終燃焼室に流体的に相互接続する前記ポートに面するように配置される、請求項３に記載の燃焼室システム。
【請求項５】  前記立体形状物は、円錐、球、プレート及び涙滴を含む群から選定される、請求項３に記載の燃焼室システム。
【請求項６】  前記立体形状物の横断面形状は、円形、五角形、長方形、十字形及び不規則多角形を含む群から選定される、請求項３に記載の燃焼室システム。
【請求項７】  前記最終燃焼室の一部を形成するとともに前記円錐形状の立体形状物と協働して環状の流路を形成するための径方向に広がる壁部をさらに有し、前記径方向に分岐する火炎面部分は前記環状の流路内で加速されて伝播し、それにより、ファスナーを前記ツールから基板に打ち込むために前記作動ピストンにピークエネルギー及び力が加えられている間は、前記最終燃焼室内部に分配される前記混合気の全ての領域が可燃的に点火可能になる、請求項４に記載の燃焼室システム。
【請求項８】  前記立体形状が円錐形状、球形状及び涙滴形状のうちの１つを有するときに、前記最終燃焼室を部分的に形成する壁部は、前記円錐、球又は涙滴の側面と協働して環状の流路を形成するような形状を有し、前記径方向に分岐する火炎面部分は前記環状の流路内で加速されて伝播し、それにより、ファスナーを前記ツールから基板に打ち込むために前記作動ピストンにピークエネルギー及び力が加えられている間は、前記最終燃焼室内部に分配される前記混合気の全ての領域が可燃的に点火可能になる、請求項５に記載の燃焼室システム。
【請求項９】  前記最終燃焼室の一部を形成するとともに前記径方向に広がる壁部より下流に配置された径方向に収束する壁部をさらに有し、それにより、前記最終燃焼室内部で発生した燃焼による圧力、力及びエネルギーは前記作動ピストンに向かって導かれ、ファスナーを前記ツールから基板に打ち込むために前記作動ピストンに衝突する、請求項７に記載の燃焼室システム。
【請求項１０】  前記予燃室はコイル形状を有し、前記コイル形状の複数のコイル部分は実質的に同平面を形成し、前記アスペクト比が３０：１である、請求項１に記載の燃焼室システム。
【請求項１１】  前記予燃室内部の前記混合気の燃焼速度及び前記火炎面が前記予燃室内を伝播する伝播速度を上昇させるために前記予燃室内部に配置される前記第１の障害手段が、前記予燃室の内側周縁壁面近傍であって実質的に前記予燃室の上流端部から下流端部にわたって形成される障害手段を有する、請求項１に記載の燃焼室システム。
【請求項１２】  前記予燃室内部の前記混合気の燃焼速度及び前記火炎面が前記予燃室内を伝播する伝播速度を上昇させるために前記予燃室内部に配置される前記第１の障害手段が、前記予燃室の内側周縁壁面上に形成されて実質的に前記予燃室の上流端部から下流端部まで延びる連続的渦巻形リブ部材を有する、請求項１１に記載の燃焼室システム。
【請求項１３】  前記予燃室内部の前記混合気の燃焼速度及び前記火炎面が前記予燃室内を伝播する伝播速度を上昇させるために前記予燃室内部に配置される前記第１の障害手段が、実質的に前記予燃室の上流端部から下流端部まで延びる前記予燃室の長さ方向に沿って、該長さ方向に互いに離れて配置される複数の環状ワッシャーを有する、請求項１１に記載の燃焼室システム。
【請求項１４】  前記予燃室内部の前記混合気の燃焼速度及び前記火炎面が前記予燃室内を伝播する伝播速度を上昇させるために前記予燃室内部に配置される前記第１の障害手段が、前記予燃室の互いに幅方向反対側の側壁部において実質的に前記予燃室の上流端部から下流端部まで延びる前記予燃室の長さ方向に沿って、該長さ方向に互いに離れて配置される複数の半円形ワッシャーを有する、請求項１１に記載の燃焼室システム。
【請求項１５】  前記予燃室内部の前記混合気の燃焼速度及び前記火炎面が前記予燃室内を伝播する伝播速度を下降させるために前記予燃室内部に配置される前記第１の障害手段が、前記予燃室の長さ方向に沿って、実質的に前記予燃室の上流端部から下流端部にわたって形成される障害手段を有する、請求項１に記載の燃焼室システム。
【請求項１６】  前記予燃室内部の前記混合気の燃焼速度及び前記火炎面が前記予燃室内を伝播する伝播速度を下降させるために前記予燃室内部に配置される前記第１の障害手段が、前記予燃室を通る前記火炎面の流れに実質的に直交する向きになるように前記予燃室の側壁部を横断して延びるとともに、前記予燃室の上流端部から下流端部に延びる前記予燃室の長さ方向に沿って該長さ方向に互いに離れて配置される複数のピンを有する、請求項１５に記載の燃焼室システム。
【請求項１７】  前記予燃室内部の前記混合気の燃焼速度及び前記火炎面が前記予燃室内を伝播する伝播速度を下降させるために前記予燃室内部に配置される前記第１の障害手段が、前記予燃室の上流端部から下流端部まで延びる前記予燃室の長さ方向に沿って該長さ方向に互いに離れて配置される複数の球体を有する、請求項１５に記載の燃焼室システム。
【請求項１８】  前記予燃室内部の前記混合気の燃焼速度及び前記火炎面が前記予燃室内を伝播する伝播速度を下降させるために前記予燃室内部に配置される前記第１の障害手段が、前記予燃室の上流端部から下流端部まで延びる前記予燃室の長さ方向に沿って該長さ方向に互いに離れて配置される複数のプレートを有する、請求項１５に記載の燃焼室システム。
【請求項１９】  前記予燃室内部の前記混合気の燃焼速度及び前記火炎面が前記予燃室内を伝播する伝播速度を下降させるために前記予燃室内部に配置される前記第１の障害手段が、前記予燃室の上流端部から下流端部まで延びる前記予燃室の長さ方向に沿って該長さ方向に互いに離れて配置される複数のディスクを有する、請求項１５に記載の燃焼室システム。